(57)【要約】【課題】オンラインショッピングではネットワークを通じて選択した衣類が、体形に合致するか、趣味嗜好に合うか判断することが難しい。【解決手段】オンラインショッピングの利用者はサービス提供装置４にネットワークを介してアクセスし、自分の３次元モデル体形データ２５を送信する。利用者は衣類分類データーベース４Ａ５から所望の衣類を検索する。選択した衣類のイメージはサービス提供装置４より利用者の端末装置２に送信されて表示される。選択した衣類のイメージが所望のものであるときには、次に、サービス提供装置４より送信される選択した衣類のイメージの衣類３次元モデル５０と、３次元モデル体形データの体形３次元モデル４０との比較画像を確認する。この確認を済ませて購入希望をサービス提供装置４に送信し、決済処理及び衣類の引渡し処理を行う。【選択図】        図７
2004362195.tif 000002
【特許請求の範囲】
【請求項１】
利用者端末装置と衣類のサービス提供装置が通信ネットワークに接続され、該ネットワークを介して利用者に対して所望の衣類を紹介し販売するオンラインショッピング装置であって、提供される各衣類を分類分けし、その分類された衣類から所望の衣類を選択する衣類選択手段と、選択された衣類が前記利用者の体形に好適であるか試着した状態を視覚的に比較し確認するための衣類の３次元モデル衣類データを記録した衣類データ記録手段と、前記利用者の体形の測定値またはデジタル画像の３次元モデル体形データを３次元モデルに生成する３次元モデル処理手段と、前記両３次元モデルの肩の稜線を重ね合せ、両者間に存する間隙を視覚的に比較処理を行う比較処理手段を備える衣類のオンラインショッピング装置。
【請求項２】
上記衣類選択手段によって選択された衣類のイメージを平面的な２次元画像あるいは所定の角度からの３次元画像として記録した衣類イメージ記録手段と、前記選択された衣類のイメージを表示画像に生成する衣類イメージ表示手段を更に具備する請求項１記載の衣類のオンラインショッピング装置。
【請求項３】
衣類の特徴や特性と取扱事項を記録した衣類特性記録手段と、前記衣類特性記録と前記比較処理手段を参照して設定された基準に基づいて前記選択された衣類のアドバイスを行うアドバイス処理手段を具備する請求項１または２記載の衣類のオンラインショッピング装置。
【請求項４】
任意の通信ネットワークと該通信ネットワークの任意のノードに設けられ各衣類を販売するサービス提供装置と利用者の体形を実測する手段あるいは前記利用者の体形をデジタルカメラで撮影する手段を有し、前記利用者の情報と実測された実測情報あるいは撮影された撮影情報の３次元モデル体形情報の出し入れを行うインターフェイス手段を有し、前記通信ネットワークを介してサービス提供装置の情報と、前記利用者の情報および前記利用が所有している３次元モデル体形情報を送受信する手段を有する利用者端末装置を具備する衣類のオンラインショッピングシステム。
【請求項５】
上記販売される衣類の情報の記録手段を有する出店元サーバを備える請求項４記載の衣類のオンラインショッピングシステム。
【請求項６】
利用者の端末装置よりサービス提供装置に対してネットワークを介してアクセスし、前記サービス提供装置より送信される試着の要否の選択のページの問いに、試着しないを選択した前記利用者には自らが衣類選択のページから所望の衣類を検索し、選択した衣類のイメージが前記利用者の端末装置に送信されて表示され、前記利用者は表示された前記衣類のイメージが所望のものであると判断し、さらに要求により前記サービス提供装置から送信されるアドバイスを参照し、当該衣類の購入の希望を前記サービス提供装置に送信し、前記サービス提供装置において決済処理および衣類の引渡し処理などの所定の売買処理を行う衣類のオンラインショッピング方法。
【請求項７】
３次元モデル体形データを所持している利用者の端末装置よりサービス提供装置に対してネットワークを介してアクセスし、前記サービス提供装置より送信される試着の要否の選択のページの問いに、試着するを選択した利用者には前記３次元モデル体形データを送信させ、利用者には自らが所望の衣類を検索し、選択した衣類のイメージが前記サービス提供装置より前記利用者の端末装置に送信されて表示され、利用者が選択した前記衣類のイメージが所望のものであると判断の指示をした場合、前記サービス提供装置より送信される前記選択した衣類のイメージの衣類３次元モデルと前記送信した３次元モデル体形データの体形３次元モデルとの比較画像を視覚的に確認し、前記利用者は要求により送信される前記サービス提供装置からのアドバイスを参照し、当該衣類の購入の希望を前記サービス提供装置に送信し、前記サービス提供装置において決済処理および衣類の引渡し処理などの所定の売買処理を行う衣類のオンラインショッピング方法。
【請求項８】
前記利用者の要求である前記３次元モデル体形データと所望する衣類との比較処理に対して前記サービス提供装置が検索し、検索された衣類のイメージが前記利用者の端末装置に送信、表示され、前記利用者は表示された前記衣類のイメージの中から所望のものを選択する請求項７記載の衣類のオンラインショッピング方法。
【発明の詳細な説明】
【０００１】
【発明の属する技術分野】
本発明は、オンラインショッピングに関し、特には利用者の体形に合致した衣類の購入、販売をも可能とするオンラインショッピングに関する。
【０００２】
【従来の技術】
近年、インターネットに代表されるような広範で大規模な通信ネットワークが広く普及し、このネットワークを介して所望の商品を販売する、いわゆるオンラインショッピングと言われるサービスがある。
このオンラインショッピングは企業サイドからすれば、中間コストの削減，在庫レス、店舗レスによる効率経営の一環となり、利用者サイドからすれば、家庭に居ながらにして多数の商品から所望の商品を手に入れる簡便さが支持されている。
【０００３】
このオンラインショッピングにおいては、商品の生産者や販売者が自ら開設したウエブ上で直接商品を販売している場合もあるが、オンラインショップ事業者がネットワーク上にオンラインモールと言われる仮想の商店街を開設し、そこに商品提供者が出店するという形態で実施されている場合も多い。
このようなオンラインモールは商品提供者にとっては、多くの利用者によるアクセスが期待でき、また利用者にとっては希望する商品を探すために、各商品提供者のホームページを１つづつアクセスする煩わしさを解消できる方法といえる。
そして、こうしたオンラインショピングにおいては、商品を選択する為の商品のサイズ、色、スペックなどの情報が利用者に提供され、ショピングを促すようにしている（特許文献１）。
【０００４】
【特許文献１】
特開平１１−２５０１２６号公報
【０００５】
【発明が解決しようとする課題】
しかしながら、これまでのオンラインショッピング環境において衣類を購入しようとする場合、上記の如く衣類の生産者や販売者が自ら開設したウエブ上で直接衣類を販売しているケースが多く、衣類のイメージ画像と一般的に使用されているサイズが表示されている程度であり、衣類の種類も限定され、利用者が所望する衣類を購入できない場合もあり、さらに生産者によって同じサイズでもデザインによって大きさに差があり、購入したが体に合わない場合もある。
また、利用者自身が自分の体形及びサイズを把握していない場合や、特にＹシャツ類の購入に必要な首囲り、胸囲、腕の長さ、スーツ類の購入に必要なＹＡ体、Ａ体…などの体形表示を認識していない場合もある。
【０００６】
通常の店舗における対面販売では試着したり、店員にアドバイスを受けたりすることができるが、これまでのオンラインショッピングではそのようなことが出来ず、購入したけれども着てみるまで不安であったり、購入を躊躇することがあり、利便性に欠けている。
こうしたことから、本発明は、利用者の趣味嗜好に合い、利用者の体形に合致する衣類を効率よく絞り込み、さらに販売店で試着したり、販売店のアドバイスを受けたのと同様の環境で衣類を選択できるオンラインショッピングシステム等を提供しようとするものである。
【０００７】
【課題を解決するための手段】
本発明のオンラインショッピングシステムはネットワークに接続され、当該ネットワークを介して体形データを所持している利用者及び体形データを所持していない利用者に対して種々の衣類を紹介し、販売する。
衣類を試着したのと同様の環境を必要とせずに衣類の選択を希望する利用者が、上記オンラインショッピングシステムにアクセスすると、衣類の選択手段により、試着するか、しないかを上記利用者の端末装置に表示するが、試着しないを選択させ、上記利用者の端末装置には膨大な衣類の中から所望の衣類を探すための検索ページを表示する。
【０００８】
上記利用者は所望する衣類の分類、色、柄、サイズなどを端末装置の表示部上で指示する。これを受けて上記オンラインショッピングシステムはサービス提供装置または出店元サーバに記録されている衣類イメージ記録手段の中から衣類イメージ表示手段により、上記利用者の端末装置の表示部に衣類のイメージを表示する。
上記利用者は表示された衣類のイメージを確認し趣味嗜好に合えば、上記利用者の端末装置の表示部上での要求により更にアドバイス処理手段が衣類特性の記録手段からその衣類の特性および取扱事項に係るアドバイスを上記利用者の端末装置の表示部に表示する。
【０００９】
次に、衣類を試着したと同様の環境で衣類の選択を希望する利用者は、先づ体形測定手段により測定された３次元の体形データを端末装置を介してオンラインショッピングシステムの３次元モデル処理手段に送信し、処理された３次元モデル体形データを受信し、所持する。
上記利用者の端末装置から上記オンラインショッピングシステムにアクセスすると、衣類の選択手段により試着するか、しないかを上記利用者の端末装置に表示する。試着しないを選択した場合には、上記したとおりの処理を行う。
試着するを選択した上記利用者の端末装置には３次元モデル体形データの送信の要求を表示する。上記３次元モデル体形データの送信終了後、上記利用者の端末装置には膨大な衣類の中から上記利用者自らが所望の衣類を検索するか、比較処理手段によって検索するかの選択ページを表示する。
【００１０】
上記利用者自らが検索する場合は、所望する衣類の分類、色、柄、サイズなどを上記利用者の端末装置の表示部上で指示し、また、比較処理手段を選択した場合は、衣類の分類、色、柄などを指示する。これを受けてシステムはサービス提供装置または出店元サーバに記録されている衣類イメージ記録手段の中から、衣類イメージ表示手段により上記利用者の端末装置の表示部に衣類のイメージを表示する。
上記利用者は表示された衣類のイメージが趣味、嗜好に合うか、否かの確認の指示を上記利用者の端末装置の表示部上で行う。
【００１１】
衣類のイメージが趣味、嗜好に合うことを指示した場合、これを受けて上記システムは比較処理手段によって、例えば、上記利用者の体形３次元モデルの肩に衣類３次元モデルの肩の稜線を被せた状態で比較できるように上記利用者の端末装置の表示部に表示する。
さらに、上記利用者の体形３次元モデルと衣類３次元モデルの間に存する間隙を視覚的に比較表示して衣類の好適性を確認させる。
【００１２】
この際、上記利用者が自分の体に好適であるか自信がない場合、上記利用者の端末装置の表示部上で要求すればアドバイス処理手段が比較処理手段と衣類特性の記録手段を参照し、上記利用者の体形に好適であるか否かのアドバイスとその衣類の特性および取扱事項に係るアドバイスを上記利用者の端末装置の表示部に表示する。
利用者は、表示された前記衣類のイメージが希望するものであると判断し、更に要求により送信されるアドバイスを参照し、衣類の購入の要求をサービス提供装置に送信し、サービス提供装置において決済処理及び衣類の引渡し処理などの処理を行う。
【００１３】
【発明の実施の形態】
衣類のオンラインショッピングシステム１は利用者端末装置２、通信ネットワーク３、サービス提供装置４、出店元サーバ７と出店元端末装置８、体形測定店端末装置９と、体形実測手段２０又は体形撮影手段３０を含んでいる（図１、図２、図３）。
上記利用者端末装置２は通信ネットワーク３の任意のノードに設けられたパーソナルコンピュータなどのノード装置であり、サービス提供装置４が提供する仮想ショッピングモールにアクセスして所望の衣類をオンラインで購入するための端末装置として使用される。
【００１４】
上記通信ネットワーク３はサービス提供装置４と利用者端末装置２、出店元サーバ７、出店元端末装置８さらに体形測定店端末装置９を接続する任意の通信ネットワークであり、通常インターネットが使用される。
また、通信手段として、サービス提供装置４と出店元サーバ７および体形測定店端末装置９の接続を専用回線５とすることもできる。
【００１５】
サービス提供装置４は通信ネットワーク３の任意のノード上に設けられ、通信ネットワーク３の任意のノードに対して、オンラインショッピング環境である仮想ショッピングモールを提供するサーバ装置である。
このように衣類のオンラインショッピングシステム１では、複数の利用者端末装置２が接続されたインターネットなどの通信ネットワーク３に仮想ショッピングモールを提供するサービス提供装置４を任意の利用者端末装置２よりアクセス可能な状態で設けられている。
【００１６】
更に、この衣類のオンラインショッピングシステム１における仮想ショッピングモール環境で好適な衣類を購入するために、人の体形を３次元モデルにし、衣類の３次元モデルと比較し、試着したのと同様の環境が提供される。このことを実現するために体の所定の部位をスケール２２などで実際に測定する体形実測手段２０と、デジタルカメラ３１で所定の位置からの撮影と、所定の姿勢で撮影する体形撮影手段３０の２つの手段がある（図２、図３）。
【００１７】
上記体形実測手段２０は、肌着などを着た状態の体形測定利用者２１の体の所定の部位をスケール２２などで測定し、測定値を得る。この場合、具体的にはＪＩＳ  で定める基本身体寸法のＢ（女子胸囲またはバスト）、Ｃ（男子胸囲またはチエスト）、Ｇ（体重）、Ｈ（腰囲またはヒップ）、ＵＢ（アンダーバスト）、Ｗ（胴囲またはウエスト）、身長、その他に体形測定利用者２１の体形３次元モデル４０を生成するに足りる、首囲り、腕の長さ、腕囲り、裄、肩幅、股下長さ、股上長さ、腿囲りなどがある。
【００１８】
この測定値は、仮想ショッピングモールに出店している、出店元端末装置８あるいは仮想ショッピングモールに出店していないが対応が出来る体形測定店端末装置９からネットワーク３あるいは専用回線５を介してサービス提供装置４の３次元モデル処理部４Ａ１２へ送信する。
送信された上記測定値は、３次元モデル処理部４Ａ１２で３次元モデル体形データ２５に処理され、出店元端末装置８あるいは体形測定店端末装置９に送信される。送信された３次元モデル体形データ２５は出店元端末装置８あるいは体形測定店端末装置９で受信し、ＣＤ−Ｒその他の任意のメデイアに記録し、体形測定利用者２１がこの３次元モデル体形データ２５を得る。
【００１９】
上記体形撮影手段３０は肌着などを着た状態の体形測定利用者２１の体をデジタルカメラ３１で撮影し、デジタル画像を得る。
この撮影はデジタルカメラ１台の場合と、複数台の場合があり、デジタルカメラは所定の位置と方法で設置され、体形測定利用者２１は所定の姿勢で撮影される。この撮影の際、体形測定利用者２１の肌着などと背景の色とはコントラストの差があるようにすると撮影画像が鮮明になる。例えば肌着の色が白であれば背景の色を黒にするとよい。
【００２０】
撮影されたデジタル画像は、上記体形の測定値と同様に、出店元端末装置８あるいは仮想ショッピングモールに出店していないが対応が出来る体形測定店端末装置９から、サービス提供装置４の３次元モデル処理部４Ａ１２へ送信して３次元モデル体形データ２５に処理され、出店元端末装置８あるいは体形測定店端末装置９に返信される。返信された３次元モデル体形データ２５は出店元端末装置８あるいは体形測定店端末装置９で受信し、任意のメデイアに記録し、体形測定利用者２１が、この３次元モデル体形データ２５を得る。上記各３次元モデル体形データ２５には、ＩＤ、パスワードなど必要な情報も記録するとよい。また、利用者端末装置２のアドレスに送信することもできる。
【００２１】
次に、図４を参照し利用者端末装置２において利用できる衣類のオンラインショッピングシステム１の多くの機能を実行するサービス提供装置４について説明する。
サービス提供装置４は利用者管理データベース４Ａ１、衣類データデータベース４Ａ２、衣類イメージデータベース４Ａ３、衣類特性データベース４Ａ４、衣類分類データベース４Ａ５、登録処理部４Ａ１０、インターフエイス部４Ａ１１、３次元モデル処理部４Ａ１２、３次元モデル表示部４Ａ１４、衣類選択部４Ａ１５、衣類イメージ表示部４Ａ１６、比較処理部４Ａ１７、アドバイス処理部４Ａ１８、購入処理部４Ａ１９および制御部４Ａなど含んでいる。
【００２２】
上記利用者管理データベース４Ａ１は衣類のオンラインショッピングシステム１に登録している利用者に関する種々のデータが、記録されたデータベースである。
例えば、利用者の住所、氏名、年齢、性別、連絡先、ＩＤ、パスワード、登録年月日、利用者の端末装置などの情報が記録されている。これらの情報は、利用者が体形実測手段２０または体形撮影手段３０を利用する際に登録処理部４Ａ１０で処理され登録される。また、これらの情報は、体形測定利用者２１の要求により逐次更新される。そして、体形測定利用者２１が仮想ショッピングモールにアクセスした際や、購入を決定した際の認証や決済処理などの時に利用される。
【００２３】
また、この利用者管理データベース４Ａ１に登録していない、任意の利用者がサービス提供装置４が提供する仮想ショッピングモールにアクセスして購入を決定した際にも前記情報が登録される。そして、同じくこれらの情報は再度購入を決定した際の認証や決済処理などの時に利用され、要求により逐次更新される。
【００２４】
衣類データデータベース４Ａ２は衣類のオンラインショッピングシステムで提供する各衣類の種々のデータが記録されたデータベースである。具体的には、一般に多くの衣類に使用されているサイズ表示、例えばＳ、Ｍ、Ｌ、ＬＬやスラックスに一般に表示されているウエスト、股上や、ワイシャツに一般に表示されている襟回り、裄や、スーツやジャケットに一般に表示されているＹＡ体、Ａ体、ＡＢ体、Ｂ体、ＢＺ体などの各衣類におけるサイズごとに、衣類の３次元モデルデータと商品コード、分類コード、色などのデータが記録されている。
これらの衣類の３次元モデルデータは、衣類選択部４Ａ１５で利用の可否が選択される。つまりこのことは試着するか、しないかの選択である。このデータは、試着するを選択した体形測定利用者２１の体形に合う衣類を選択する際と、比較処理部４Ａ１７の利用を要求した際に利用される。
【００２５】
衣類イメージデータベース４Ａ３は、衣類のオンラインショッピングシステムで提供する各衣類の種々のデータが記録されたデータベースである。具体的には、各衣類ごとに写真画像データと商品名、商品コード、分類コード、提供数量、価格、色、柄、サイズ、メーカ販売店などのデータが記録されている。この中の各衣類のデータは衣類選択部４Ａ１５で選択され、衣類イメージ表示部４Ａ１６で表示データに生成され、制御部４Ａおよびインターフエイス部４Ａ１１を介して利用者端末装置２の表示部に表示される。この写真画像データは、実際に近いイメージを提供するものであり、平面的な２次元画像、所定の角度からの３次元画像などの所望の画像で提供する。
【００２６】
衣類特性データベース４Ａ４は衣類のオンラインショッピングシステムで提供される各衣類の種々のデータが記録されたデータベースである。具体的には、各衣類ごとに商品コード、分類コード、防水性、防寒性、通気性、吸湿性、伸縮性、素材特性などのデータが記録されている。
さらに取扱上の事項として洗濯水温度の範囲、ドライクリーニングの可否、手洗いまたは洗濯機洗いの可否、洗濯機水流の強弱、洗剤の種類、洗濯時のネットの使用とか、アイロンの温度範囲、アイロン使用の可否、保管方法などのデータが記録されている。
これらの種々のデータは利用者の要求に応じてアドバイス処理部４Ａ１８により、必要なアドバイスを行う際に利用される。
【００２７】
なお、上記衣類データデータベース４Ａ２、衣類イメージデータベース４Ａ３、衣類特性データベース４Ａ４などに記録された情報の中には、実体として仮想ショッピングモールに出店している出店元サーバ７にあり、各データベースには、そこへのリンクデータが記録されている形態のものであってもよい。
【００２８】
衣類分類データベース４Ａ５は、衣類のオンラインショッピングシステムで提供される各衣類の各々を分類コードで分類分けし、グループ化した情報が記録されたデータベースである。具体的には、たとえば、シャツの分類のグループがあり、その分類のグループの中に、アンダーシャツ、ワイシャツ、Ｔシャツ、ポロシャツ、アロハシャツなどの分類のグループがあり、さらにその分類のグループの中に柄、色、サイズの分類がグループ化されているといったようなものである。これらの種々のデータは、衣類選択部４Ａ１５で利用者が衣類を検索し、衣類のイメージを確認するときや比較処理部４Ａ１７が検索するときに使用される。
【００２９】
上記登録処理部４Ａ１０は、体形実測手段２０又は体形撮影手段３０を使用する際、および任意の利用者が仮想ショッピングモールで購入を決定した際に登録するための処理を行うものである。具体的には、利用者とネットワーク３を介して対話形式で通信を行い、その利用者の住所、氏名、年齢、性別、連絡先、パスワード、登録年月日、使用端末装置の情報などの入力を受け、ＩＤを発行する。そして、これらの情報を利用者管理データベース４Ａ１に登録する。
なお、このＩＤは利用者に発行されるＩＤと、出店元に発行されるＩＤとは区別されたものになっている。
上記インターフエイス部４Ａ１１は、オンラインショッピングシステム１における種々の情報を通信で行うための情報の出入口である。
【００３０】
３次元モデル処理部４Ａ１２は、インターフエイス部４Ａ１１を介して制御部４Ａで制御され、体形実測手段２０または体形撮影手段３０から得られた情報を基に３次元モデルに処理を行い、３次元モデル体形データ２５として出店元端末装置８あるいは体形測定店端末装置９に送信する。
また逆に利用者端末装置２から送信された３次元モデル体形データ２５を基に体形３次元モデル４０を生成する。
さらに、衣類選択部４Ａ１５で選択されたり比較処理部４Ａ１７で比較処理された衣類データデータベース４Ａ２内の３次元モデルデータを衣類３次元モデル５０に生成する。
【００３１】
３次元モデル表示部４Ａ１４は、３次元モデル処理部４Ａ１２で生成された体形３次元モデル４０と衣類３次元モデル５０、および比較処理部４Ａ１７で比較処理された体形３次元モデル４０と衣類３次元モデル５０を、利用者端末装置２の表示部に表示するための画像データに生成し、制御部４Ａおよびインターフエイス部４Ａ１１を介して利用者端末装置２へ送信する。
【００３２】
衣類選択部４Ａ１５は衣類データデータベース４Ａ２や衣類イメージデータベース４Ａ３に記録されている膨大な衣類データの中から利用者が適切に所望の衣類を選択できるように種々の処理を行う。具体的には、利用者がサービス提供装置４にアクセスすると試着するか、しないかの選択のページを提供し、試着するを選択した場合には、３次元モデル体形データ２５を要求する。
次に、グループ化され、所望する衣類を選択しやすく構成された衣類分類データベース４Ａ５内の情報を利用者自らが検索をするか、比較処理部４Ａ１７により体形測定利用者２１の体形に好適な衣類を検索するかの選択のページを提供する。
また、試着しないを選択した場合には衣類分類データベース４Ａ５内の情報を利用者自らが検索するページを提供する。
【００３３】
衣類イメージ表示部４Ａ１６は衣類イメージデータベース４Ａ３に記録されている写真画像データを読み出し、利用者端末装置２の表示部に表示する画像データを生成する。さらに、制御部４Ａおよびインターフエイス部４Ａ１１を介して利用者端末装置２に送信する。
【００３４】
比較処理部４Ａ１７は体形測定利用者２１の要求に応じて、一定の基準により３次元モデル体形データ２５と衣類データデータベース４Ａ２内の３次元モデルデータを比較し、体形測定利用者２１の体形に好適な衣類を検索する処理と、比較状態を表示するデータ処理を行う。具体的には、たとえば体形測定利用者２１が衣類選択部４Ａ１５でポロシャツを指定した場合、衣類データデータベース４Ａ２内の商品コードと分類コードでリンクしている衣類イメージデータベース４Ａ３内の体形に好適なポロシャツを検索する。
【００３５】
さらに、比較処理部４Ａ１７で検索し、表示された衣類のイメージが利用者の趣味、嗜好に合った場合と、この比較処理部を利用せず衣類を選択し、イメージが合った場合を問わず、比較処理部４Ａ１７は、体形３次元モデル４０の肩の稜線に衣類３次元モデル５０の肩の稜線を被せた状態で表示し、衣類３次元モデル５０の内郭表面と、体形３次元モデル４０の外郭表面の間の所定の位置の間隙に球形６０を表示し、利用者のインタラクテイブな指示により球形６０の直径も表示するようデータ処理をする（図５）。
衣類が利用者の体形より余裕がある場合は、間隙の寸法は、正の数字で表示され、逆に衣類が小さい場合は、画像表示も衣類の方が体形より小さくなり、間隙寸法は負の数字で表示する。さらに、利用者のインタラクテイブな指示により、体形３次元モデル４０と衣類３次元モデル５０を同時に、任意の角度、任意の位置から見た状態の画像を表示するようデータ処理をする。また、比較処理部４Ａ１７は、アドバイス処理の際にも参照される。
【００３６】
アドバイス処理部４Ａ１８は、利用者の要求に応じて一定の基準に基づいて利用者の衣類購入に係わるアドバイスを行う。例えば、試着を選択し、比較処理部４Ａ１７の利用を選択しなかった体形測定利用者２１が任意の衣類を選択し、その選択した衣類が自分の体形にマッチするか自信がない場合にアドバイスを受けることが出来る。
アドバイスを要求した時、アドバイス処理部４Ａ１８は比較処理部４Ａ１７の情報と衣類特性データベース４Ａ４の情報に基づいて必要なアドバイスを行う。このアドバイスを受けることの出来る利用者は、３次元モデル体形データ２５をサービス提供装置４に送信した利用者である。
【００３７】
また、全ての利用者が受けることが出来るアドバイスとして、衣類を着る環境、たとえば外気温や、湿度に対してその衣類が適しているのか、衣類の特定の素材に対してアレルギーがあるが大丈夫だろうか、静電気についてはどうだろうか、といったような疑問に対してである。
さらに、取扱上の事項として、たとえば、洗濯水温度の範囲、ドライクリーニングの可否、手洗いまたは洗濯機洗いの可否、洗濯機水流の強弱、洗剤の種類、洗濯時のネット使用の要否、アイロンを掛ける温度範囲、アイロン使用の可否、保管方法などである。
【００３８】
購入処理部４Ａ１９は、ＩＤ、パスワードの登録を済ませている利用者が、何れかの衣類の購入を決定した際に上記利用者の支払方法を確認し、必要に応じてクレジットカード番号などを要求し、決済処理や売買手続を行う。さらに、その衣類を提供している出店元に衣類の受注その他の必要情報の報告および商品の発送の依頼などを行う。
制御部４Ａは、サービス提供装置４が所定の動作を行うように、各構成部間での情報およびデータの送受を適切に行い、サービス提供装置４が全体として機能するよう、各部間の制御を行う。
【００３９】
次に衣類のオンラインショッピングシステムの動作について説明する。
まず、図６を参照し、体形実測手段２０または体形撮影手段３０を使用する利用者の場合を説明する。
利用者が体形実測手段２０または体形撮影手段３０を利用する際に、出店元端末装置８または体形測定店端末装置９からサービス提供装置４にアクセスし、登録処理部４Ａ１０が登録処理を開始し（Ｓ１）、利用者の個人情報の入力を要求する（Ｓ２）。つまり、利用者の住所、氏名、年齢、性別、連絡先、パスワード、登録年月日、利用者の使用端末装置の情報などの入力を要求する。要求に対して回答を得たら、この情報を利用者管理データベース４Ａ１に登録する（Ｓ３）。この項目の処理が済んだら（Ｓ４）、ＩＤを発行する（Ｓ５）。
【００４０】
次に、体形実測手段２０または体形撮影手段３０で得た体形測定利用者２１の体形の情報を、出店元端末装置８または体形測定店端末装置９から３次元モデル処理部４Ａ１２へ送信し（Ｓ６）、この項目の処理が済んだら（Ｓ７）、３次元モデルに処理された３次元モデル体形データ２５を、送信した端末装置が受信し（Ｓ８）、それを体形測定利用者２１が入手する。これで一連の登録、データ処理が終る（Ｓ９）。
【００４１】
上記３次元モデル体形データ２５を入手した体形測定利用者２１が実際にショッピングを行う場合のフローチャートについて、図７を参照して説明する。
まず、上記利用者２１が利用者端末装置２よりサービス提供装置４にアクセスすると、インターフエイス部４Ａ１１がこれを受け付けてオンラインショッピングが開始される（Ｓ１０）。上記利用者２１の上記端末装置２の表示部に試着するかしないかの選択のページを表示し（Ｓ１１）、試着を選択した上記利用者２１には、３次元モデル体形データ２５を要求し、送信させる（Ｓ１２）。
【００４２】
次に、衣類分類データベース４Ａ５内の情報を検索する衣類選択のページを利用者端末装置２の表示部へ表示し（Ｓ１３）、体形測定利用者２１の検索により選択された衣類のイメージを表示する（Ｓ１４）。この際、比較処理部４Ａ１７の利用を選択した場合には、一定の基準で比較処理され検索された衣類のイメージが表示される。
【００４３】
表示された衣類のイメージが趣味嗜好に合う、合わないを利用者２１が判断し（Ｓ１５）、合えば３次元モデル処理部４Ａ１２と或いは比較処理部４Ａ１７で比較処理され、３次元モデル表示部４Ａ１４で画像データに生成された体形３次元モデル４０の肩に衣類３次元モデル５０の肩の稜線を被せた状態で表示され（Ｓ１６）、体形に適合するかの確認を行わせる。
【００４４】
表示された衣類のイメージが、体形測定利用者２１の趣味嗜好に合わない場合は、衣類選択のページ（Ｓ１３）へ戻って再度衣類の選択を行わせる。
さらに、体形３次元モデル４０と衣類３次元モデル５０の比較確認で適合しない或いは納得しない場合も衣類選択のページ（Ｓ１３）に戻って、再度衣類の選択を行わせる。
この際、体形測定利用者２１が自分の体形に適合するか自信がなかったり、迷ってアドバイスを要求した場合には（Ｓ１７）、アドバイス処理部４Ａ１８が比較処理部４Ａ１７および衣類特性データベース４Ａ４  を参照してアドバイスを行う（Ｓ１８）。さらに、体形測定利用者２１の要求により疑問点や、取扱上の事項などのアドバイスを行う。
【００４５】
そして、アドバイスの要求がない場合には、選択した衣類の金額などを表示し（Ｓ１９）、納得の確認を得る（Ｓ２０）。
なお、体形測定利用者が選択した衣類について総合的に納得できなかった場合、衣類選択のページ（Ｓ１３）へ戻って再度衣類の選択を行わせる。
そして、このようなプロセスの後、利用者が最終的に注文を行なったら、購入処理部４Ａ１９がこれを受けて支払方法の確認などを行い、決済処理や売買手続を行い（Ｓ２１）、一連のオンラインショッピングが終了する（Ｓ２２）。
【００４６】
次に、３次元モデル体形データ２５を所持しているが試着を選択しない利用者、あるいは３次元モデル体形データを所持していない利用者が実際にショッピングを行う場合のフローチャートについて図８、図９を参照して説明する。
まず、上記利用者が利用者端末装置２よりサービス提供装置４にアクセスすると、インターフエイス部４Ａ１１、が、これを受け付けてオンラインショッピングが開始される（Ｓ３０）。上記利用者の端末装置の表示部に試着するか、しないかの選択のページを表示し（Ｓ３１）、試着しないを選択した上記利用者には、衣類分類データベース内の情報を検索する衣類選択のページを表示する（Ｓ３２）。
【００４７】
そして、上記利用者の検索により選択された衣類のイメージを表示する（Ｓ３３）  。表示された衣類のイメージが利用者の趣味嗜好に合う、合わないを利用者に判断させ（Ｓ３４）、合わなければ再度衣類選択のページ（Ｓ３２）に戻り、選択を行わせる。合えばアドバイスのページを表示し（Ｓ３５）、利用者の要求により疑問な点や取扱上のアドバイスを行う（Ｓ３６）。
【００４８】
アドバイスの要求がない場合には、その衣類の金額などを表示し（Ｓ３７）、納得の確認を得る（Ｓ３８）。
なお、利用者が選択した衣類について総合的に納得できなかった場合は再度、衣類選択のページ（Ｓ３２）へ戻って衣類の選択を行わせる。
そして、利用者の納得の確認を得た後にＩＤを要求し（Ｓ３９）、利用者が最終的に注文を行なったら、購入処理部４Ａ１９がこれを受けて支払方法の確認などを行い、決済処理や売買手続を行い（Ｓ４０）、一連のオンラインショッピングが終了する（Ｓ４１）。
【００４９】
上記納得の確認（Ｓ３８）を得た後、この衣類のオンラインショッピングシステムのＩＤを所持せず、ＩＤの要求（Ｓ３９）に答えられない利用者には個人情報の入力を要求する（Ｓ３９−１）。つまり上記した利用者の住所、氏名、年齢、性別、連絡先、パスワード、登録年月日、利用者の使用端末装置の情報などの入力を要求する。要求に対して回答を得たら、この情報を利用者管理データベース４Ａ１に登録する（Ｓ３９−２）。
この項目の処理が済んだら（Ｓ３９−３）、ＩＤを発行する（Ｓ３９−４）。そして、利用者が最終的に注文を行なったら、購入処理部４Ａ１９がこれを受けて支払方法の確認などを行い、決済処理や売買手続を行い（Ｓ４０）一連のオンラインショッピングを終了する。
【００５０】
本発明は種々の改変が可能である。
例えば、体形実測手段２０で得た測定値および体形撮影手段３０で得たデジタル画像を、３次元モデル処理部４Ａ１２の機能を持つ出店元端末装置８および体形測定店端末装置９で３次元モデル体形データ２５に処理し、登録処理部４Ａ１０で処理されたＩＤ、パスワードなど必要な情報をサービス提供装置４から得て３次元モデル体形データ２５に記録することもできる。
【００５１】
また、３次元モデル体形データ２５は体形測定利用者２１が所持することとしたが、要求によりサービス提供装置４またはサービス提供装置４にリンクしている出店元サーバ７に記録することができる。
この場合、衣類選択部４Ａ１５の試着するか、しないかの選択のページに３次元モデル体形データ２５の供給元の明示、つまり体形測定利用者２１なのか、サービス提供装置４なのかの明示項目を追加するとよい。
また、上記アドバイス処理部４Ａ１８の処理は、利用者の要求に応じて選択的に行うものとしたが、各利用者の利用できる制限の範囲で自動的に行うようにしてもよいし、比較処理部４Ａ１７の処理も自動的に行うようにすることができる。
【００５２】
上記体形実測手段２０を利用したオンラインショッピングを以下の方法で行うと更に便利である。
オンラインショッピングの利用者が、利用者端末装置２からサービス提供装置４にアクセスすると、３次元モデル処理部４Ａ１２から利用者端末装置２へ上記した体形３次元モデル４０を生成するための身体の各種サイズの測定部位、測定方法等の指示を出す。利用者はその指示に従って身体の各種サイズを測定して上記した体形実測手段２０を実行し、その測定値を上記３次元モデル処理部４Ａ１２へ送信する。上記送信された測定値は、この３次元モデル処理部４Ａ１２で３次元モデル体形データ２５に処理される。
【００５３】
利用者の上記した氏名その他の個人情報が利用者管理データベース４Ａ１に既に登録されている場合には、利用者のＩＤやパスワード等を確認し、登録処理部４Ａ１０を介して、３次元モデル体形データ２５を上記個人情報にリンクさせて利用者管理データベース４Ａ１に登録する。
また、上記個人情報が利用者管理データベース４Ａ１に登録されていない場合には、その個人情報と３次元モデル体形データ２５は共に利用者管理データベース４Ａ１に登録され、ＩＤ、パスワード等が発行される。
【００５４】
上記した３次元モデル体形データ２５を利用者管理データベース４Ａ１に登録している利用者がショッピングを行う場合には、利用者端末装置２からサービス提供装置４にアクセスし、上記の如く衣類分類データベース４Ａ５から趣味嗜好に合う衣類を選択する。利用者が試着することを選択すると、利用者管理データベース４Ａ１に登録されている３次元モデル体形データ２５によって３次元モデル処理部４Ａ１２は体形３次元モデル４０を生成する。一方、上記選択された衣類についても、上記の如く衣類データデータベース４Ａ２内の３次元モデルデータによって衣類３次元モデル５０が生成される。
【００５５】
そして、３次元モデル表示部４Ａ１４において、上記画像データに生成された体形３次元モデル４０の肩に衣類３次元モデル５０の肩の稜線を被せた状態で表示し、両者間に存在する隙間を球６０を目安にしながら身体、体形に適合するか否かの確認を行って、衣類購入の要否を決定する。
こうした方法によれば、利用者は出店元端末装置８や体形測定店端末装置９を利用することなく、利用者端末装置２を通じて試着の行えるオンラインショピングを行うことができる。
【００５６】
オンラインショッピングの利用者が、上記した利用者端末装置２からサービス提供装置４にアクセスし、３次元モデル処理部４Ａ１２からの指示に従って身体の各種サイズを測定することにより体形実測手段２０を実行し、その測定値を上記３次元モデル処理部４Ａ１２へ送信する方法に代えて、次の方法を採ることもできる。
すなわち、サービス提供装置４の３次元モデル処理部４Ａ１２から、体形３次元モデル４０を形成するデジタル画像を得るための、デジタルカメラの性能範囲、被写体となる利用者とカメラの距離、カメラの高さ、撮影角度その他の指示を出し、利用者はその指示に基づいて上記体形撮影手段３０を実行し、そのデジタル画像を上記３次元モデル処理部４Ａ１２へ送信し、３次元モデル体形データ２５に処理するようにすることもできる。
【００５７】
【発明の効果】
本発明は上記したようにオンラインショッピングシステムにおいては、販売店に行かずども膨大な衣類の中から利用者端末装置の表示部で色、柄、デザイン、サイズなど利用者の趣味嗜好に合ったものを効率よく選択できる。
また、３次元モデル体形データを利用した体形測定利用者は趣味嗜好の他に、販売店で試着したのと同様の環境で衣類を選択できる。
さらに、３次元モデル体形データを利用した体形測定利用者が、比較処理部を利用することにより、趣味嗜好の他に販売店で試着したり販売店のアドバイスを受けたのと同様の環境で衣類を選択することができる。
【図面の簡単な説明】
【図１】本発明の実施例のオンラインショッピングシステムの構成を示す説明図である。
【図２】本発明の体形実測手段の説明図である。
【図３】本発明の体形撮影手段の説明図である。
【図４】本発明のオンラインショッピングシステムにおけるサービス提供装置の構成を示すブロック図である。
【図５】本発明の３次元モデルによる試着状態の説明図である。
【図６】本発明における３次元モデル体形データを得るためのフローチャートである。
【図７】本発明における３次元モデル体形データを利用したオンラインショッピングのフローチャートである。
【図８】本発明における３次元モデル体形データを利用しないオンラインショッピングのフローチャートである。
【図９】図８の変形例のフローチャートである。
【符号の説明】
１  オンラインショッピングシステム
２  利用者端末装置
３  通信ネットワーク
４  サービス提供装置
５  専用回線
７  出店元サーバー
８  出店元端末装置
９  体形測定店端末装置
２０  体形実測手段
２１  体形測定利用者
２５    ３次元モデル体形データ
３０  体形撮影手段
４０  体形３次元モデル
５０  衣類３次元モデル
【図１】
2004362195.tif 000003
【図２】
2004362195.tif 000004
【図３】
2004362195.tif 000005
【図４】
2004362195.tif 000006
【図５】
2004362195.tif 000007
【図６】
2004362195.tif 000008
【図７】
2004362195.tif 000009
【図８】
2004362195.tif 000010
【図９】
2004362195.tif 000011